(57)【要約】【課題】構造を簡単化することができるとともに組み立て工数を削減することができる排水ポンプおよび空気調和機を提供する。【解決手段】排水ポンプ１は、ポンプ室２２を有したポンプ室ケース（ポンプ本体）２と、ポンプ室ケース２に当接してポンプ室２２を塞ぐ蓋ケース（蓋部材）３と、蓋ケース３に支持されてインペラ（羽根車）２１を駆動するモータ部（駆動部）４と、モータ部４を覆うとともに取付対象部に取り付けられる上部カバー（カバー部材）５と、を備え、ポンプ室ケース２および上部カバー５の一方には、弾性係合片５５が設けられ、他方には、係合受け部２５が設けられている。ポンプ室ケース２と上部カバー５との間に蓋ケース３およびモータ部４を挟んで弾性係合片５５を係合受け部２５に係合させることで排水ポンプ１が一体に組み立てられる。【選択図】図２
2018091190.tif 000002
【特許請求の範囲】
【請求項１】
羽根車を収容するポンプ室を有したポンプ本体と、
前記ポンプ本体に当接して前記ポンプ室を塞ぐ蓋部材と、
前記蓋部材に支持されて前記羽根車を駆動する駆動部と、
前記駆動部を覆うとともに取付対象部に取り付けられるカバー部材と、
を備え、
前記ポンプ本体および前記カバー部材の一方には、弾性係合片が設けられ、他方には、係合受け部が設けられ、前記ポンプ本体と前記カバー部材との間に前記蓋部材および前記駆動部を挟んで弾性係合片を係合受け部に係合させることで一体に組み立てられることを特徴とする排水ポンプ。
【請求項２】
前記蓋部材には、前記係合受け部をスライド案内するガイド部が設けられていることを特徴とする請求項１に記載の排水ポンプ。
【請求項３】
前記蓋部材には、前記係合受け部の内面に当接する当接支持部が設けられていることを特徴とする請求項１又は２に記載の排水ポンプ。
【請求項４】
前記蓋部材には、前記カバー部材に当接して周方向に位置決めする位置決め部が設けられていることを特徴とする請求項１〜３のいずれか一項に記載の排水ポンプ。
【請求項５】
前記係合受け部には、前記弾性係合片の周方向への移動を規制する規制部が設けられていることを特徴とする請求項１〜４のいずれか一項に記載の排水ポンプ。
【請求項６】
室内熱交換器、室外熱交換器、絞り装置および圧縮機を含む冷媒回路を備えた空気調和機であって、
前記室内熱交換器が設けられた室内ユニット内に請求項１〜５のいずれか一項に記載の排水ポンプを備えたことを特徴とする空気調和機。
【発明の詳細な説明】
【技術分野】
【０００１】
本発明は、排水ポンプおよび空気調和機に関する。
【背景技術】
【０００２】
従来、ポンプ室を有するポンプハウジング（ポンプ本体）と、ポンプハウジングの開口部を覆うハウジングカバー（蓋部）と、ハウジングカバーの上部に設けられるモータ（駆動部）と、モータを覆うモータカバー（カバー部材）と、を備えた排水ポンプが知られている（例えば、特許文献１等参照）。この排水ポンプは、下から上に向かってポンプハウジング、ハウジングカバー、モータ、モータカバーの順に配設され、ポンプハウジングがハウジングカバーに対してスナップフィット機能によって取り付けられ、モータカバーがハウジングカバーに対してスナップフィット機能によって取り付けられている。
【先行技術文献】
【特許文献】
【０００３】
【特許文献１】特開２０１４−１０５５９９号公報
【発明の概要】
【発明が解決しようとする課題】
【０００４】
しかしながら、特許文献１に記載されたような従来の排水ポンプでは、ポンプハウジングが２個のスナップフィットアームを有し、モータカバーが２個のスナップフィットアームを有し、これら計４個のスナップフィットアームに対応してハウジングカバーに４箇所の受け部が設けられている。このため、従来の排水ポンプは、その構造が複雑になるとともに、組み立ての際に都合４箇所のスナップフィットを係合させる必要があることから、組み立て工程の工数が多くなる。
【０００５】
本発明の目的は、構造を簡単化することができるとともに組み立て工数を削減することができる排水ポンプおよび空気調和機を提供することである。
【課題を解決するための手段】
【０００６】
本発明の排水ポンプは、羽根車を収容するポンプ室を有したポンプ本体と、前記ポンプ本体に当接して前記ポンプ室を塞ぐ蓋部材と、前記蓋部材に支持されて前記羽根車を駆動する駆動部と、前記駆動部を覆うとともに取付対象部に取り付けられるカバー部材と、を備え、前記ポンプ本体および前記カバー部材の一方には、弾性係合片が設けられ、他方には、係合受け部が設けられ、前記ポンプ本体と前記カバー部材との間に前記蓋部材および前記駆動部を挟んで弾性係合片を係合受け部に係合させることで一体に組み立てられることを特徴とする。
【０００７】
このような本発明によれば、ポンプ本体とカバー部材との間に蓋部材および駆動部を挟んで弾性係合片を係合受け部に係合させることで一体に組み立てられるので、弾性係合片および係合受け部の設置個数を少なくして構造を簡単化することができるとともに、組み立て工数を削減することができる。また、蓋部材および駆動部を挟んでポンプ本体とカバー部材とが弾性係合片および係合受け部によって係合されるので、排水ポンプの全体サイズを小型化した場合であっても、弾性係合片が撓むために必要な長さ（アーム長）を確保することができ、係合強度を確保しつつ組み立て性を向上させることができる。
【０００８】
この際、前記蓋部材には、前記係合受け部をスライド案内するガイド部が設けられていることが好ましい。
【０００９】
この構成によれば、蓋部材に設けたガイド部で係合受け部をスライド案内することで、ポンプ本体と蓋部材とを位置決めしつつ係合受け部を所定位置に位置付けることができる。
【００１０】
さらに、前記蓋部材には、前記係合受け部の内面に当接する当接支持部が設けられていることが好ましい。
【００１１】
この構成によれば、蓋部材に設けた当接支持部に係合受け部の内面を当接させることで、係合受け部に弾性係合片から作用する係合力を当接支持部が分担して支持することができる。従って、係合受け部を薄型化して径方向への突出寸法を抑制することができるので、排水ポンプの径寸法を小型化することができる。
【００１２】
また、前記蓋部材には、前記カバー部材に当接して周方向に位置決めする位置決め部が設けられていることが好ましい。
【００１３】
この構成によれば、蓋部材に設けた位置決め部に当接させてカバー部材を周方向に位置決めすることで、蓋部材とカバー部材とを位置決めしつつ組み立てることができ、組み立て作業性を向上させることができる。
【００１４】
また、前記係合受け部には、前記弾性係合片の周方向への移動を規制する規制部が設けられていることが好ましい。
【００１５】
この構成によれば、係合受け部に設けた規制部によって弾性係合片の周方向への移動を規制することで、弾性係合片を係合受け部に係合させる際の位置ずれを防止するとともに、弾性係合片および係合受け部によってポンプ本体とカバー部材との周方向の位置決めを行うこともでき、組み立て作業性をさらに向上させることができる。
【００１６】
本発明の空気調和機は、室内熱交換器、室外熱交換器、絞り装置および圧縮機を含む冷媒回路を備えた空気調和機であって、前記室内熱交換器が設けられた室内ユニット内に前記排水ポンプを備えたことを特徴とする。
【発明の効果】
【００１７】
本発明の排水ポンプによれば、弾性係合片および係合受け部の設置個数を少なくして構造を簡単化することができるとともに、組み立て工数を削減することができる。
【図面の簡単な説明】
【００１８】
【図１】本発明の第１実施形態に係る排水ポンプを示す斜視図である。
【図２】前記排水ポンプを示す分解斜視図である。
【図３】前記排水ポンプの蓋部材を示す平面図である。
【図４】前記排水ポンプの蓋部材およびカバー部材を示す側面図である。
【図５】本発明の第２実施形態に係る排水ポンプを示す斜視図である。
【図６】前記排水ポンプを示す分解斜視図である。
【図７】本発明の一実施形態に係る空気調和機を示す概略構成図である。
【発明を実施するための形態】
【００１９】
本発明の第１実施形態に係る排水ポンプを図１〜４に基づいて説明する。図１、２に示すように、第１実施形態の排水ポンプ１は、ポンプ本体であるポンプ室ケース２と、蓋部材としての蓋ケース３と、駆動部であるモータ部４と、カバー部材である上部カバー５と、を備えて構成されている。この排水ポンプ１は、例えば、空気調和機における室内機（後述する室内ユニット２００）の内部において、ドレンパン２１０（図７参照）に溜まった水等を外部に排出するために、ドレンパン２１０の上方にて略水平に延びる取付面（取付対象部）に取り付けられるドレンポンプとして利用可能である。
【００２０】
ポンプ室ケース２は、樹脂製で薄型円筒状に形成され、内部に羽根車であるインペラ２１を収容するポンプ室２２を有している。ポンプ室ケース２の下部には、ドレンパン２１０内に配置されて水等を吸い込むための吸込み口２３が設けられ、ポンプ室ケース２の側部には、図示しない排水管が接続されて水等を排出するための吐出し口２４が設けられている。ポンプ室ケース２の周面部において吐出し口２４と径方向に直交する位置には、後述する上部カバー５の弾性係合片５５と係合する一対の係合受け部２５が互いに対向して立設されている。
【００２１】
蓋ケース３は、樹脂製で円筒形状に形成され、ポンプ室ケース２の上端開口部にシール部材であるＯリング３１を介して当接し、これによりポンプ室２２を密閉する蓋として機能する。この蓋ケース３は、略３／４周（２７０°）の周長に亘って立設された胴部３２と、胴部３２の下部に連続してポンプ室ケース２のポンプ室２２を覆う円板状の底部３３と、底部３３の中央に立設された軸受部３４と、吐出し口２４の上方にて底部３３から立設された支持壁部３５と、を有して形成されている。胴部３２と支持壁部３５とは、互いに離隔して設けられ、その隙間によって蓋ケース３の内外を連通する開口３６が形成されるようになっている。
【００２２】
モータ部４は、ＤＣブラシレスモータからなり、回路基板やステータを内蔵して樹脂により一体成形された樹脂モールド部４１を有して構成されている。樹脂モールド部４１の周面の一部には、電力線や信号線が接続されるコネクタを内蔵する角柱部４２が径方向に突出して設けられている。モータ部４の図示しない駆動軸（出力軸）は、下方に延びて蓋ケース３の軸受部３４を貫通するとともに、ポンプ室ケース２のポンプ室２２にてインペラ２１に固定されている。なお、モータ部４は、ＤＣブラシレスモータに限定されることなく、他のＤＣモータやＡＣモータ、その他のモータで構成されてもよい。
【００２３】
上部カバー５は、樹脂製で円形蓋状に形成され、モータ部４の外周に嵌合してその下面を除いた略全体を覆って設けられる。この上部カバー５は、円筒状の円筒部５１と、円筒部５１の上部に連続する上面部５２と、上面部５２の略中央から上方に突出してモータ部４の軸受側を覆う突出部５３と、を有して形成されている。上面部５２には、周方向に分散した三箇所から上方かつ所定の角度で外方に突出して延びるブラケット５４が一体に設けられ、これらのブラケット５４が取付面（後述する天板２２０）に固定されるようになっている。なお、三箇所のブラケット５４は、上部カバー５の周方向に等間隔で配置されてもよいし、不等間隔で配置されてもよく、さらに、ブラケット５４は、三箇所に限らず、一箇所、二箇所または四箇所以上に配置されてもよい。また、円筒部５１の外周面における互いに対向した位置には、下方に延びてポンプ室ケース２の係合受け部２５に係合する一対の弾性係合片５５が設けられている。
【００２４】
以下、排水ポンプ１の組み立て構造について、図３、４も参照して詳しく説明する。図３は、蓋ケース３を示す平面図であり、その要部（図中、一点鎖線で囲んだＡ部）を拡大したＡ部拡大図が示されている。図４は、蓋ケース３および上部カバー５を示す側面図であり、図３の右側（支持壁部３５の側）から見た側面図である。
【００２５】
蓋ケース３の胴部３２には、支持壁部３５と径方向に直交する二箇所の外周面が平坦状とされた一対の平坦壁部３７が設けられている。これらの平坦壁部３７は、その上面が支持壁部３５の上面と同一高さ位置に設けられ、これらの上面によってモータ部４を載置支持する支持面部３５Ａ，３７Ａが構成されている。平坦壁部３７の外面３７Ｂは、胴部３２の外周面よりも径方向内方に後退して設けられ、この外面３７Ｂと胴部３２の外周面との段差部によって係合受け部２５をスライド案内するガイド部３７Ｃが構成されている。また、平坦壁部３７は、その外面３７Ｂが係合受け部２５の内面に当接する当接支持部として機能するようになっている。
【００２６】
さらに、胴部３２において支持壁部３５と対向する位置には、上端縁が切り欠かれた切欠き部３８が形成され、この切欠き部３８に対応した上部カバー５の円筒部５１には、切欠き部５１Ａ（図４参照）が形成されている。これらの切欠き部３８，５１Ａは、モータ部４の角柱部４２を挿通させることで、支持したモータ部４を周方向に位置決めするように構成されている。また、胴部３２において、開口３６を挟んで支持壁部３５と対向する端縁は、上部カバー５に当接して周方向に位置決めする位置決め部３９として機能する。すなわち、図４に示すように、上部カバー５の円筒部５１には、その下端縁が切り欠かれた一対の切欠き部５６が形成され、これら一対の切欠き部５６において上下に延びる側端縁５６Ａが設けられている。このような一対の側端縁５６Ａがそれぞれ周方向の反対向きに位置決め部３９に当接することで、上部カバー５が蓋ケース３に対して周方向に位置決めされるようになっている。
【００２７】
再び図２を参照して、ポンプ室ケース２の係合受け部２５と上部カバー５の弾性係合片５５との係合構造（所謂スナップフィット構造）について説明する。係合受け部２５は、ポンプ室ケース２の周縁部から立ち上がる受け壁部２５Ａと、この受け壁部２５Ａの両側端縁から径方向外方に突出する一対のリブ壁部２５Ｂと、受け壁部２５Ａの外面に突出して弾性係合片５５と係合する受け爪部２５Ｃと、を有して構成されている。弾性係合片５５は、上部カバー５の円筒部５１から径方向外方に突出した基部５５Ａと、この基部５５Ａから下方に延びる板状の弾性板部５５Ｂと、この弾性板部５５Ｂの先端内側に設けられる係合爪部５５Ｃと、を有して構成されている。
【００２８】
弾性係合片５５は、弾性板部５５Ｂが係合受け部２５の一対のリブ壁部２５Ｂの間に挿入され、受け壁部２５Ａに沿って下向きに案内されるとともに、弾性板部５５Ｂが弾性変形しつつ係合爪部５５Ｃが受け爪部２５Ｃを乗り越えることで、係合受け部２５に係合するように構成されている。このように弾性係合片５５と係合受け部２５とが係合した状態において、一対のリブ壁部２５Ｂの間に挟まれることで弾性板部５５Ｂの周方向への移動が規制され、すなわち、一対のリブ壁部２５Ｂが規制部として機能するようになっている。また、係合状態において、弾性係合片５５から径方向内方に向かって係合受け部２５に弾性力が作用することとなるが、この弾性力は、受け壁部２５Ａから蓋ケース３の平坦壁部３７に伝達され、これらの受け壁部２５Ａおよび平坦壁部３７によって支持されるようになっている。
【００２９】
以上の排水ポンプ１の組み立て手順としては、先ず、上部カバー５を上下逆にしてブラケット５４の側を作業台等に載置し、この上部カバー５の内部にモータ部４を挿入し、切欠き部５１Ａにモータ部４の角柱部４２を挿通させて位置決めする。次に、上部カバー５およびモータ部４に対して蓋ケース３を取り付ける。この際、蓋ケース３の軸受部３４にモータ部４の駆動軸を通すとともに、蓋ケース３の切欠き部３８にモータ部４の角柱部４２を挿通させ、さらに蓋ケース３の位置決め部３９を上部カバー５の切欠き部５６の側端縁５６Ａに沿わせ、これによって上部カバー５およびモータ部４と蓋ケース３とを互いに周方向に位置決めする。次に、蓋ケース３の軸受部３４から突出したモータ部４の駆動軸の先端部にインペラ２１を固定し、蓋ケース３の底部３３にＯリング３１を配置する。次に、蓋ケース３にポンプ室ケース２を嵌め合わせる。この際、ポンプ室ケース２の係合受け部２５を蓋ケース３の一対のガイド部３７Ｃに案内させつつ平坦壁部３７に沿ってスライドさせ、係合受け部２５を弾性係合片５５に接近させる。さらに、弾性係合片５５の弾性板部５５Ｂを係合受け部２５の一対のリブ壁部２５Ｂに案内させつつ受け壁部２５Ａに沿ってスライドさせ、弾性係合片５５の係合爪部５５Ｃを係合受け部２５の受け爪部２５Ｃに係合させる。
【００３０】
なお、排水ポンプ１の組み立て手順としては、以下の手順でもよい。先ず、蓋ケース３の軸受部３４にモータ部４の駆動軸を通し、この駆動軸の先端部をインペラ２１に固定する。次に、ポンプ室ケース２のポンプ室２２と蓋ケース３の底部３３との間にＯリング３１を挟むようにしてインペラ２１をポンプ室２２に挿入するとともに、蓋ケース３の一対のガイド部３７Ｃに案内させつつ係合受け部２５を平坦壁部３７に沿ってスライドさせ、ポンプ室ケース２と蓋ケース３とを嵌め合わせる。次に、上部カバー５をモータ部４に被せ、弾性係合片５５の弾性板部５５Ｂを係合受け部２５の一対のリブ壁部２５Ｂに案内させつつ受け壁部２５Ａに沿ってスライドさせる。さらに、上部カバー５の切欠き部５６の側端縁５６Ａを蓋ケース３の位置決め部３９に摺接させつつ、弾性係合片５５の係合爪部５５Ｃを係合受け部２５の受け爪部２５Ｃに係合させる。
【００３１】
このように弾性係合片５５と係合受け部２５とを係合させることで、ポンプ室ケース２と蓋ケース３とにＯリング３１が押圧状態で挟み込まれ、これによりポンプ室２２が閉じられるようになっている。さらに、Ｏリング３１が押圧状態で挟まれることで、その反発力によって蓋ケース３がモータ部４および上部カバー５に向かって押圧される。これによりポンプ室ケース２と上部カバー５との間に蓋ケース３およびモータ部４が挟まれて保持され、排水ポンプ１の組み立てが完了する。
【００３２】
以上の本実施形態によれば、ポンプ室ケース２と上部カバー５との間に蓋ケース３およびモータ部４を挟むとともに、弾性係合片５５と係合受け部２５とを係合させることで、排水ポンプ１が一体に組み立てられる。従って、従来の構造と比較して、弾性係合片５５および係合受け部２５の設置個数を少なくして排水ポンプ１の構造を簡単化することができるとともに、組み立て工数を削減することができる。
【００３３】
また、蓋ケース３およびモータ部４を挟んでポンプ室ケース２と上部カバー５とが弾性係合片５５および係合受け部２５の係合によって連結されるので、排水ポンプ１の全体サイズを小型化した場合であっても、弾性係合片５５の弾性板部５５Ｂが撓むために必要なアーム長を確保することができ、係合強度を確保しつつ組み立て性を向上させることができる。
【００３４】
また、蓋ケース３に形成した平坦壁部３７の外面３７Ｂと胴部３２の外周面との段差部によってガイド部３７Ｃが構成され、このガイド部３７Ｃによって係合受け部２５をスライド案内することで、ポンプ室ケース２と蓋ケース３とを位置決めしつつ係合受け部２５を所定位置に位置付けることができる。
【００３５】
さらに、平坦壁部３７の外面３７Ｂに係合受け部２５の受け壁部２５Ａが当接し、これらの受け壁部２５Ａおよび平坦壁部３７によって、弾性係合片５５から作用する弾性力が支持されることで、係合受け部２５の受け壁部２５Ａを薄型化して径方向への突出寸法を抑制することができるので、排水ポンプ１の径寸法を小型化することができる。
【００３６】
また、上部カバー５に形成した切欠き部５６の側端縁５６Ａが蓋ケース３の位置決め部３９に当接し、上部カバー５が蓋ケース３に対して周方向に位置決めされることで、蓋ケース３と上部カバー５とを位置決めしつつ組み立てることができ、組み立て作業性を向上させることができる。
【００３７】
また、係合受け部２５の一対のリブ壁部２５Ｂの間に弾性係合片５５の弾性板部５５Ｂが挟まれ、弾性係合片５５の周方向への移動が規制されることで、弾性係合片５５を係合受け部２５に係合させる際の位置ずれを防止するとともに、ポンプ室ケース２と上部カバー５との周方向の位置決めを行うこともでき、組み立て作業性をさらに向上させることができる。
【００３８】
以上の排水ポンプ１では、上部カバー５にブラケット５４が一体に形成されるとともに、上部カバー５の切欠き部５６の側端縁５６Ａと蓋ケース３の位置決め部３９とにより上部カバー５と蓋ケース３とが周方向に位置決めされているだけでなく、吐出し口２４を有するポンプ室ケース２が蓋ケース３に対して、その係合受け部２５がガイド部３７Ｃにガイドされることにより周方向に位置決めされている。これにより、ブラケット５４が一体に形成されている上部カバー５、蓋ケース３、および、吐出し口２４を有するポンプ室ケース２の三者が周方向に位置決めされているため、ブラケット５４と吐出し口２４とが所定の角度に適正に位置出しできる。
【００３９】
次に、本発明の第２実施形態に係る排水ポンプを図５、６に基づいて説明する。本実施形態の排水ポンプ１Ａは、前記第１実施形態の排水ポンプ１と同様に、ポンプ本体であるポンプ室ケース２と、蓋部材としての蓋ケース３と、駆動部であるモータ部４と、カバー部材である上部カバー５と、を備えて構成されている。本実施形態の排水ポンプ１Ａは、第１実施形態の排水ポンプ１に対して、弾性係合片および係合受け部の構成が相違し、他の構成は第１実施形態と同一又は同様である。以下、第１実施形態との相違点について詳しく説明し、第１実施形態と同一又は同様な構成については同符号を付して説明を省略又は簡略する。
【００４０】
第１実施形態においては、ポンプ室ケース２に係合受け部２５が設けられ、上部カバー５に弾性係合片５５が設けられていたが、図５、６に示すように、本実施形態の排水ポンプ１Ａにおいては、ポンプ室ケース２に一対の弾性係合片２６が設けられ、上部カバー５に一対の係合受け部５７が設けられている。
【００４１】
弾性係合片２６は、ポンプ室ケース２の周縁部から径方向外方に突出した基部２６Ａと、この基部２６Ａから上方に延びる板状の弾性板部２６Ｂと、この弾性板部２６Ｂの先端内側に設けられる係合爪部２６Ｃと、を有して構成されている。係合受け部５７は、上部カバー５の円筒部５１の外周面から下方に延びる受け壁部５７Ａと、この受け壁部５７Ａの両側端縁から径方向外方に突出する一対のリブ壁部５７Ｂと、受け壁部５７Ａの外面に突出して弾性係合片２６の係合爪部２６Ｃと係合する受け爪部５７Ｃと、を有して構成されている。
【００４２】
弾性係合片２６は、弾性板部２６Ｂが係合受け部５７の一対のリブ壁部５７Ｂに案内され、弾性板部２６Ｂが弾性変形しつつ係合爪部２６Ｃが受け爪部５７Ｃを乗り越えることで、係合受け部２５に係合するように構成されている。係合状態において、一対のリブ壁部５７Ｂの間に弾性板部２６Ｂが挟まれることで、弾性係合片２６の周方向への移動が規制されるようになっている。また、係合状態において、弾性係合片２６から作用する弾性力は、受け壁部５７Ａから蓋ケース３の平坦壁部３７に伝達されて支持されるようになっている。
【００４３】
以上の排水ポンプ１Ａの組み立て手順としては、前記第１実施形態の排水ポンプ１と略同様であるが、ポンプ室ケース２、蓋ケース３および上部カバー５の位置決めの手順が若干相違する。すなわち、上部カバー５およびモータ部４に対して蓋ケース３を嵌め合わせる際に、係合受け部５７が蓋ケース３の平坦壁部３７に沿ってガイド部３７Ｃにガイドされるとともに、上部カバー５の切欠き部５６の側端縁５６Ａと蓋ケース３の位置決め部３９とが当接することで、上部カバー５と蓋ケース３とが周方向に位置決めされつつ嵌め合わされる。また、モータ部４の駆動軸にインペラ２１を固定し、Ｏリング３１を配置してからポンプ室ケース２を取り付ける際に、その弾性係合片２６が係合受け部５７の一対のリブ壁部５７Ｂの間に案内されることで、ポンプ室ケース２が上部カバー５に対して周方向に位置決めされつつ、弾性係合片２６と係合受け部５７とを互いに係合させることで排水ポンプ１Ａが一体に組み立てられる。
【００４４】
以上の本実施形態によれば、前記第１実施形態と同様の作用効果を奏することができる。すなわち、ポンプ室ケース２と上部カバー５との間に蓋ケース３およびモータ部４を挟むとともに、弾性係合片２６と係合受け部５７とを係合させることで、排水ポンプ１Ａが一体に組み立てられる。従って、従来の構造と比較して、弾性係合片２６および係合受け部５７の設置個数を少なくして排水ポンプ１Ａの構造を簡単化することができるとともに、組み立て工数を削減することができる。
【００４５】
また、係合受け部５７の一対のリブ壁部５７Ｂの間に弾性係合片２６の弾性板部２６Ｂが挟まれ、弾性係合片２６の周方向への移動が規制されることで、弾性係合片２６を係合受け部５７に係合させる際の位置ずれを防止するとともに、ポンプ室ケース２と上部カバー５との周方向の位置決めを行うこともでき、組み立て作業性をさらに向上させることができる。
【００４６】
以上の排水ポンプ１Ａでは、上部カバー５にブラケット５４が一体に形成されるとともに、上部カバー５の切欠き部５６の側端縁５６Ａと蓋ケース３の位置決め部３９、および、上部カバー５の係合受け部５７と蓋ケース３のガイド部３７Ｃとにより、上部カバー５と蓋ケース３とが周方向に位置決めされているだけでなく、吐出し口２４を有するポンプ室ケース２が上部カバー５に対して、上部カバー５の係合受け部５７におけるリブ壁部５７Ｂとポンプ室ケース２の弾性係合片２６の弾性板部２６Ｂにより周方向に位置決めされている。これにより、ブラケット５４が一体に形成されている上部カバー５、蓋ケース３、および吐出し口２４を有するポンプ室ケース２の三者が周方向に位置決めされているため、ブラケット５４と吐出し口２４とが所定の角度に適正に位置出しできる。
【００４７】
次に、本発明の一実施形態に係る空気調和機について、図７を参照して説明する。図７は、本発明の一実施形態に係る空気調和機の概略構成を示す図である。この空気調和機は、例えば、家屋や商業施設などに設けられるエアコン等として用いられる。
【００４８】
この空気調和機は、室内熱交換器１１０と、室外熱交換器１２０と、絞り装置１３０と、圧縮機１４０と、流路切換弁１５０と、を含む冷凍サイクルを備えている。室内熱交換器１１０は室内ユニット２００内に設けられ、室外熱交換器１２０と、絞り装置１３０と、圧縮機１４０と、流路切換弁１５０とは、室外ユニット３００内に設けられている。
【００４９】
空気調和機の冷凍サイクルの流路は流路切換弁１５０により「冷房モード」および「暖房モード」の２通りの流路に切換えられる。冷房モードでは、図７に実線の矢印で示すように、圧縮機１４０で圧縮された冷媒は流路切換弁１５０から室外熱交換器１２０に流入され、絞り装置１３０に流入される。そして、この絞り装置１３０で冷媒が膨張され、室内熱交換器１１０に流入される。この室内熱交換器１１０に流入された冷媒は、流路切換弁１５０を介して圧縮機１４０に流入される。一方、暖房モードでは、図７に破線の矢印で示すように、圧縮機１４０で圧縮された冷媒は流路切換弁１５０から室内熱交換器１１０に流入され、絞り装置１３０に流入される。そして、この絞り装置１３０で冷媒が膨張され、室外熱交換器１２０、流路切換弁１５０、圧縮機１４０の順に循環される。
【００５０】
冷房モードでは、室外熱交換器１２０が凝縮器として機能し、室内熱交換器１１０が蒸発器として機能し、室内の冷房がなされる。また、暖房モードでは、室外熱交換器１２０が蒸発器として機能し、室内熱交換器１１０が凝縮器として機能し、室内の暖房がなされる。
【００５１】
室内ユニット２００は、室内熱交換器１１０の下方にドレンパン２１０を備えるとともに、前記各実施形態の排水ポンプ１，１Ａが天板２２０に取り付けられ、この排水ポンプ１，１Ａを制御する制御装置２３０を備えている。排水ポンプ１，１Ａの吸込み口２３はドレンパン２１０内に配置され、インペラ２１の回転により、吸込み口２３からドレンパン２１０に溜まったドレン水を吸引し、吸引したドレン水を吐出し口２４から吐出する。この吐出し口２４には排出管が接続されており、室内ユニット２００（空気調和機）から離れた位置に排水される。
【００５２】
なお、本発明は、前記実施形態に限定されるものではなく、本発明の目的が達成できる他の構成等を含み、以下に示すような変形等も本発明に含まれる。例えば、前記実施形態では、空気調和機における室内機の内部におけるドレンパン用のドレンポンプとして排水ポンプ１，１Ａを利用する場合を例示したが、本発明の排水ポンプは、空調室内機等の空気調和機に限らず、各種の機器に適用可能であるとともに、ドレンポンプとしてのみならず様々な部位における排水用途に利用可能である。
【００５３】
また、前記実施形態では、蓋ケース（蓋部材）３における平坦壁部３７の外面３７Ｂと胴部３２の外周面との段差部によってガイド部３７Ｃが構成され、このガイド部３７Ｃによって係合受け部２５，５７をスライド案内する構成であったが、蓋部材には、係合受け部をスライド案内するガイド部が設けられていなくてもよい。また、ガイド部としては、前記実施形態のような段差部によって構成されるものに限らず、溝部や突条によって構成されるものでもよい。
【００５４】
また、前記実施形態では、係合受け部２５，５７に当接する当接支持部として平坦壁部３７が蓋ケース（蓋部材）３に設けられていたが、蓋部材には、係合受け部の内面に当接する当接支持部が設けられていなくてもよい。また、当接支持部としては、前記実施形態の平坦壁部３７のような壁状の部位によって構成されるものに限らず、柱状の部位や突起状の部位によって構成されるものでもよい。
【００５５】
また、前記実施形態では、蓋ケース（蓋部材）３における胴部３２の側端縁からなる位置決め部３９と、上部カバー（カバー部材）５に形成した切欠き部５６の側端縁５６Ａと、が互いに当接し、これによって上部カバー５が蓋ケース３に対して周方向に位置決めされる構成であったが、蓋部材およびカバー部材には、互いに位置決めする位置決め部が設けられていなくてもよい。また、位置決め部としては、前記実施形態のような側端縁同士が当接する構成に限らず、凹凸嵌合によって互いに位置決めされる構成であってもよい。
【００５６】
また、前記実施形態では、係合受け部２５，５７の一対のリブ壁部２５Ｂ，５７Ｂによって、弾性係合片２６，５５の弾性板部２６Ｂ，５５Ｂを挟んで移動を規制する規制部が構成されていたが、弾性係合片の周方向への移動を規制する規制部が設けられていなくてもよい。また、規制部としては、前記実施形態のような一対のリブ壁部２５Ｂ，５７Ｂによって構成されるものに限らず、溝部や突条によって構成されるものでもよい。また、規制部としては、係合受け部に限らず、ポンプ本体やカバー部材における他の部位に設けられていてもよい。
【００５７】
また、前記第１実施形態では、ポンプ室ケース２の周面部において吐出し口２４と径方向に直交する位置に一対の係合受け部２５が互いに対向して立設され、これら一対の係合受け部２５に対応した上部カバー５の所定位置に弾性係合片５５が設けられ、前記第２実施形態では、ポンプ室ケース２の周面部において吐出し口２４と径方向に直交する位置に一対の弾性係合片２６が互いに対向して立設され、これら一対の弾性係合片２６に対応した上部カバー５の所定位置に係合受け部５７が設けられていたが、係合受け部２５，５７および弾性係合片２６，５５と吐出し口２４との位置関係としては、径方向に直交する位置に限らず、任意に設定された位置であってもよい。
【００５８】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
【符号の説明】
【００５９】
１，１Ａ  排水ポンプ
２        ポンプ室ケース（ポンプ本体）
３        蓋ケース（蓋部材）
４        モータ部（駆動部）
５        上部カバー（カバー部材）
２１      インペラ（羽根車）
２２      ポンプ室
２５，５７  係合受け部
２５Ｂ，５７Ｂ  リブ壁部（規制部）
２６，５５  弾性係合片
３５      支持壁部
３７      平坦壁部（当接支持部）
３７Ｃ    ガイド部
３９      位置決め部
１１０    室内熱交換器
１２０    室外熱交換器
１３０    絞り装置
１４０    圧縮機
【図１】
2018091190.tif 000003
【図２】
2018091190.tif 000004
【図３】
2018091190.tif 000005
【図４】
2018091190.tif 000006
【図５】
2018091190.tif 000007
【図６】
2018091190.tif 000008
【図７】
2018091190.tif 000009